(57)【要約】【課題】  構成を複雑化する必要がなく、可動体と電子機器本体との間に異物が挿入されることを抑制することができる電子機器を提供する。【解決手段】  電子機器本体２と、所定の方向における一端部３１が電子機器本体２に支持され、一表面部３２が電子機器本体２に対向して設けられる収納状態と、一表面部３２が露出する展開状態とにわたって変位可能に電子機器本体２に設けられる可動体とを備え、収納状態では、可動体３の所定の方向における他端部３８の少なくとも一部と、電子機器本体２のうち可動体３の遊端部３８に臨む部分の少なくとも一部との、所定の方向への正投影面が重なるように、電子機器本体２と可動体３とを設ける。【選択図】      図２
2009269570.tif 000002
【特許請求の範囲】
【請求項１】
電子機器本体と、
所定の方向における一端部が前記電子機器本体に支持され、一表面部が前記電子機器本体に対向して設けられる収納状態と、前記一表面部が露出する展開状態とにわたって変位可能に前記電子機器本体に設けられる可動体とを備え、
前記収納状態では、前記可動体の前記所定の方向における他端部の少なくとも一部と、前記電子機器本体のうち前記可動体の前記他端部に臨む部分の少なくとも一部との、前記所定の方向への正投影面が重なることを特徴とする電子機器。
【請求項２】
前記電子機器本体は、
前記可動体の前記一表面部を前記電子機器本体に臨ませた状態で、前記可動体を変位させるスライド変位部と、
前記収納状態で、前記電子機器本体と前記可動体とが重なる方向、および、前記可動体が前記スライド変位部によって変位する方向に、相互に垂直な幅方向に延びる軸線まわりに、前記可動体を角変位する角変位部とを有することを特徴とする請求項１に記載の電子機器。
【請求項３】
前記電子機器本体には、前記他端部で前記可動体寄りの端部に設けられ、前記可動体が前記スライド変位部によって変位する方向に開口し、記録媒体を挿入および排出可能な開口部を有することを特徴とする請求項２に記載の電子機器。
【請求項４】
前記収納状態では、前記可動体の前記他端部は、前記電子機器本体の端部に臨み、
前記可動体の前記他端部には、前記所定の方向の他方寄りに、外方に突出する突部が形成され、
前記収納状態で、前記電子機器本体のうち前記突部に臨む端部には、凹所が形成されていることを特徴とする請求項３に記載の電子機器。
【請求項５】
前記収納状態では、前記可動体の前記突部は、前記開口部に記録媒体を案内する案内経路を構成することを特徴とする請求項４に記載の電子機器。
【請求項６】
前記突部は、前記幅方向の少なくとも一部に設けられ、前記収納状態での前記電子機器本体と前記可動体との間の隙間の前記幅方向の長さが、前記開口部に挿入されるべき記録媒体の幅未満となるように設けられることを特徴とする請求項４または５に記載の電子機器。
【請求項７】
前記突部は、合成樹脂材料からなることを特徴とする請求項４〜６のいずれか１つに記載の電子機器。
【発明の詳細な説明】
【技術分野】
【０００１】
本発明は、電子機器本体と、該電子機器本体に設けられる可動体とを有する電子機器に関する。
【背景技術】
【０００２】
たとえば可動体としてディスプレイを備える第１の従来の技術の電子機器では、ディスプレイがカバーに収納された収納状態と、カバーから露出する展開状態とにわたって変位可能に設けられている（たとえば特許文献１参照）。ディスプレイは、収納状態から表示面を下方に向けた状態でスライドして、カバーから突出し、スライド方向に垂直な軸線まわりに角変位して、展開状態に移行する。
【０００３】
また同様に可動体としてディスプレイを備える第２の従来の技術の電子機器では、ディスプレイが筐体に収納された収納状態においてディスプレイが収納される部分の開口を覆う蓋体を備えている（たとえば特許文献２参照）。
【０００４】
【特許文献１】特開平３−２７３９４４号公報
【特許文献２】特開平５−１０５００３号公報
【発明の開示】
【発明が解決しようとする課題】
【０００５】
第１の従来の技術では、ディスプレイがカバーに収納された収納状態では、ディスプレイとカバーとの間に隙間が生じてしまうので、この隙間に異物が挿入されてしまうおそれがある。特に、車両に設けられる場合であって、記録媒体を抜き差し可能なオーディオ機器などと共に設けられる場合には、前記記録媒体を前記隙間に誤挿入してしまうおそれがある。
【０００６】
また第２の従来の技術のように、蓋を設けると前記記録媒体の誤挿入を抑制することはできるが、蓋を別部品で設け、ディスプレイの変位に同期して動作させる必要がある。このため構成が複雑になり、組立工程数が多くなってしまうので、生産性が低下してしまうという問題がある。
【０００７】
したがって本発明の目的は、構成を複雑化する必要がなく、可動体と電子機器本体との間に異物が挿入されることを抑制することができる電子機器を提供することである。
【課題を解決するための手段】
【０００８】
本発明（１）は、電子機器本体と、
所定の方向における一端部が前記電子機器本体に支持され、一表面部が前記電子機器本体に対向して設けられる収納状態と、前記一表面部が露出する展開状態とにわたって変位可能に前記電子機器本体に設けられる可動体とを備え、
前記収納状態では、前記電子機器本体と前記可動体とが、前記可動体の前記所定の方向における他端部の少なくとも一部と、前記電子機器本体のうち前記可動体の前記他端部に臨む部分の少なくとも一部との、前記所定の方向への正投影面が重なるように設けられることを特徴とする電子機器である。
【発明の効果】
【０００９】
本発明（１）によれば、収納状態において可動部と電子機器本体との間に隙間が形成されても、所定の方向における一端部が電子機器本体に支持される可動体において、収容状態では、所定の方向における他端部の少なくとも一部と、電子機器本体のうち可動体の他端部に臨む部分の少なくとも一部との、所定の方向の正投影面が重なるので、可動部の他端部側から電子機器本体と可動体との間の空間に異物が挿入されるときに、該異物が電子機器本体の他端部および可動体の他端部いずれかに当接して、可動部と電子機器本体との間に隙間への異物の挿入が抑制される。
【００１０】
また異物の挿入を抑制するために、電子機器本体と可動部とは別の部材を設ける必要がないので、構成を複雑化する必要がなく、したがって組立工程数の増加および生産性が低下を抑制することができる。
【発明を実施するための最良の形態】
【００１１】
図１は、本発明の実施の一形態の電子機器であるナビゲーション装置１の構成の一部を示す斜視図であり、図１（１）は可動体３が収納位置に設けられる収納状態を示し、図１（２）は可動体３が展開位置に設けられる展開状態を示す。図２は、収納状態におけるナビゲーション装置１の側面図である。ナビゲーション装置１は、車両にダッシュボードに組み込まれるインダッシュ型のカーナビゲーション装置であって、ナビゲーション機能に加えて、オーディオ機能および動画再生機能などを有する。
【００１２】
ナビゲーション装置１は、電子機器本体２と、可動体３とを備える。
電子機器本体２は、第１筐体２１と、第１筐体２１の所定の方向の一端部２２が露出するように、前記第１筐体２１を支持している第２筐体２３とを含んで構成されている。第１筐体２１および第２筐体２３は、ともに略直方体形状に形成されている。ナビゲーション装置１は、幅１８０ｍｍ、高さ５０ｍｍ、奥行き２００ｍｍの１ＤＩＮサイズに形成されており、ダッシュボードに形成される１ＤＩＮサイズに対応する挿入孔に挿入されて、車両に取付けられる。以後、電子機器本体２の幅方向をＸ方向とし、奥行方向である前記所定の方向をＹ方向とし、高さ方向をＺ方向として説明する。
【００１３】
電子機器本体２の前記第１筐体２１には、記録媒体を挿入し、また記録媒体を排出するための開口部２４がＹ方向の前記一端部２２に形成されている。本実施の形態では、記録媒体は、ＣＤ（コンパクトディスク）、ＤＶＤ（Digital Versatile Disc）、ＢＤ（Blu-
ray Disc）などのディスク状記録媒体である。開口部２４は、第１筐体２１のＺ方向の一端部に設けられ、すなわち設置状態において第１筐体２１の上端部に設けられて、前記Ｙ方向の一方に開口する。第１筐体２１の内部には、光ピックアップ装置を含んで構成され、記録媒体に記録された情報を読出して再生する読出再生部と、地図データなどのナビゲーション情報を記憶する記憶部と、記憶部に記憶されているナビゲーション情報または記録媒体から読み出したナビゲーション情報および図示しないＧＰＳ（Global Positioning
System）装置からの情報に基づいて、経路のナビゲーションを行うナビゲーション処理部とが備えられている。また第１筐体２１の一端部２２には、前記開口部２４を除く位置に、ボリュームスイッチ２６を含み、ナビゲーション機能、オーディオ機能または動画再生機能に関する各種指示を入力するための操作部が設けられている。
【００１４】
可動体３は、略直方体形状を有し、板状に形成されている。可動体３は、収納位置に設けられ、すなわちその厚み方向の一表面部３２が電子機器本体２に対向して設けられる収納状態と、展開位置に設けられ、すなわち前記一表面部３２が露出する展開状態とにわたって変位可能に、電子機器本体２に設けられる。可動体３は、Ｘ方向と、可動体３の厚み方向に垂直な方向とに垂直な所定の方向における一端部３１が電子機器本体２に支持される。収納状態において、電子機器本体２と可動体３との間には隙間が形成される。前記隙間のＺ方向の大きさは、収納状態において、振動によって電子機器本体２と可動体３との対向する部分が接触しないように選ばれ、たとえば１．５ｍｍ〜２ｍｍ程度に選ばれている。
【００１５】
可動体３は、第３筐体３３と、該第３筐体３３に保持され、筐体液晶表示パネルおよび該液晶表示パネルの表示面を覆って形成されるタッチパネルとを有するディスプレイ部３４とを有する。ディスプレイ部３４の表示面３５は、可動体３の一表面部３２において周縁部３６を除く部分から外部に露出している。ディスプレイ部３４の表示面３５は、第３筐体３３の一表面３７よりも内側に退避して設けられている。ディスプレイ部３４は、電子機器本体２とフレキシブル配線基板によって電気的に接続されている。
【００１６】
可動体３は、ナビゲーション装置１を設置した状態で第１筐体２１の上方、すなわち第１筐体２１のＺ方向の一方に設けられる。可動体３は、収納状態において、所定の方向の他端部である遊端部３８を除く部分が、第２筐体２３に収容される。収納状態では、可動体３の遊端部３８は、電子機器本体２の端部に臨み、すなわち第２筐体２３の一端部２２に対向する。
【００１７】
可動体３の第３筐体３３のＸ方向の両側部４１には、所定の方向に延びる溝４２が形成されている。第２筐体２３には、前記溝４２に挿入される案内レール部が設けられ、収納状態では、前記溝４２に沿って前記案内レール部が挿入されている。
【００１８】
第２筐体２３には、可動体３を変位させるための変位部４５が設けられる。変位部４５は、可動体３の厚み方向の一表面部３２を電子機器本体２に臨ませた状態で、可動体３をＹ方向に変位させるスライド変位部と、電子機器本体２と可動体３とが重なる方向（Ｚ方向）、および、可動体３がスライド変位部によって変位する方向（Ｙ方向）に、相互に垂直な幅方向（Ｘ方向）に延びる軸線まわりに、可動体３を角変位する角変位部とを備える。
【００１９】
図３は、可動体３の変位を説明する図である。変位部４５は可動体３の一端部３１を保持し、Ｘ方向に変位可能な保持部４６を含む。スライド変位部は、前記保持部４６に設けられる第１モータおよび第１歯車群と、第２筐体２３に設けられてＹ方向に延び、前記第１モータからの動力が与えられる前記第１歯車群の歯車に噛合するラックギアを含んで構成される。第１モータの回転軸が回転して第１歯車群を回転することによって、第１歯車群の歯車がラックギアに噛合して、保持部４６をＹ方向に移動させることができ、これに伴って図３（１）および（２）に示すように、可動体３がＹ方向に移動する。
【００２０】
角変位部は、前記保持部４６に設けられる第２モータおよび第２歯車群と、第２可動部２３に固定される第３歯車とを含んで構成される。第３歯車は、角変位軸線まわりに同軸に設けられ、前記第２歯車群の歯車と噛合する。前記第２モータの回転軸が回転して第２歯車群を回転することによって、第２歯車群の歯車が第３歯車に噛合して、図３（３）および（４）に示すように、Ｘ方向に延びる軸線まわりに可動体３を角変位させることができる。
【００２１】
再び図２を参照して、収納状態では、可動体３の遊端部３８の少なくとも一部と、電子機器本体２のうち可動体３の遊端部３８に臨む部分（第２筐体２３の一端部２２）の少なくとも一部との、所定の方向への正投影面が重なるように、電子機器本体２と可動体３とが設けられる。収納状態では、前記所定の方向はＹ方向に平行である。言い換えれば、設置状態において、可動体３の遊端部３８の少なくとも一部が、第２筐体２３の一端部２２の上端面よりも下方に設けられる。
【００２２】
このように電子機器本体２と可動体３とが配置されることによって、電子機器本体２と可動体３との間に隙間が形成されていても、Ｙ方向の一方、すなわち前面から電子機器本体２と可動体３との間に異物が挿入されにくくなる。
【００２３】
可動体３の遊端部３８には、所定の方向の他方寄りに、外方に突出する突部５１が形成されている。突部５１は、第３筐体３３に設けられ、可動体３の厚み方向の一方に突出し、すなわち収納状態において第２筐体２３側に突出している。突部５１は可動体３の所定の方向の端に設けられ、Ｘ方向の両端部にわたって設けられている。突部５１の幅方向の断面は、略台形状に形成されている。
【００２４】
収納状態で、電子機器本体２のうち突部５１に臨む部分には、凹所５３が形成されている。凹所５３は、第１筐体２１の一端部２２のうちＹ方向の一方の端に形成されている。収納状態では、凹所５３が形成されている空間に前記突部５１が収容され、突部５１の最下端が、第１筐体２１の最上端よりも下方に配置される。このような突部５１および凹所５３を形成する場合には、突部５１が、スライド変位部による可動体３のＹ方向への移動を阻止することがないので、スライド変位部によって可動体３をＹ方向に直線的に移動させることができる。したがって突部５１を設けても、スライド変位部の構成を複雑化することがない。
【００２５】
図１および図２を参照して、開口部２４は、大略的に直方体形状の空間のＸ方向およびＺ方向における周囲を囲むように形成され、その内周面に、記録媒体を案内する開口案内面５４を有する。開口案内面５４は、設置状態において下面となる下開口案内面５４ａと、下開口案内面５４ａのＸ方向の両端部にそれぞれ連なる側開口案内面５４ｂと、下開口案内面５４ａに対向して、下開口案内面５４ａのＸ方向の両端部が側開口案内面５４ｂにそれぞれ連なる上開口案内面５４ｃとを有する。下開口案内面５４ａおよび側開口案内面５４ｂは、Ｙ方向の一端まで延びて形成される。上開口案内面５４ｃは、Ｙ方向の一端を除いて設けられる。この上開口案内面５４ｃのＹ方向の一方には凹所５３が形成されており、下開口案内面５４ａおよび側開口案内面５４ｂは、Ｙ方向の一端部が上方に露出する。上開口案内面５４ｃおよび下開口案内面５４ａの少なくともいずれか一方は、Ｙ方向の他方から一方に向かうに連れて開口が大きくなるように傾斜させてもよく、この場合には、記録媒体を案内面５４に沿って円滑に案内することができる。
【００２６】
収納状態では、下開口案内面５４ａおよび側開口案内面５４ｂのうち、Ｙ方向の一端部が上方に露出する部分に、可動体３の突部５１が配置される。したがって、収納状態において可動体３の突部５１は、開口部２４に記録媒体を案内する案内経路を構成する。このように突部５１によって案内経路を構成することによって、開口部の開口を可及的に広くすることができるので、記録媒体を開口部２４に挿入しやすく、また開口部２４から記録媒体を取り出しやすくすることができる。
【００２７】
開口部２４、第３筐体３３および突部５１は、合成樹脂材料からなり、たとえばＡＢＳ（アクリロニトリル・ブタジエン・スチレン)樹脂とＰＣ（ポリカーボネート）樹脂とのアロイ、またはポリアセタールなどから成る。開口部２４および突部５１が合成樹脂材料からなるので、記録媒体を挿入または取り出すときに、記録媒体が開口部２４および突部５１に接触しても、記録媒体が損傷してしまうことが抑制される。
【００２８】
収納状態では、開口部２４のうち上開口案内面５４ｃが形成される上側部分５５が、前記突部５１のＹ方向の他方に臨む。収納状態で、前記上側部分５５の可動体３に対向する上端面５６は、突部５１の遊端面５７よりも上方に設けられている。上端面５６と遊端面５７とは、Ｚ方向に予め定める間隔をあけて設けられ、好ましくは１．５ｍｍ〜２．０ｍｍ程度に選ばれる。これによって、開口部２４の上側部分５５が撓んだとしても、上端面５６と遊端面５７との隙間が、記録媒体の厚みを超えて大きくなってしまうことが抑制される。
【００２９】
以上のようにナビゲーション装置１では、収納状態において可動体３と電子機器本体２との間に隙間が形成されても、突部５１と開口部２４の上側部分５５との、所定の方向（Ｙ方向）の正投影面が重なるので、記録媒体が開口部２４に挿入されるときに、記録媒体を開口部２４の上側部分５５に当接させて、可動体３と電子機器本体２との隙間に記録媒体などの異物が挿入されてしまうことを抑制することができる。したがって、可動体３と電子機器本体２とを接続するフレキシブル配線基板に、異物が当接してフレキシブル配線基板の切断されてしまうことが抑制することができ、また記録媒体が隙間に挿入されてその表面が損傷してしまうことを抑制することができる。
【００３０】
特に車両に設けられているナビゲーション装置１では、利用者は開口部２４を注視しないで、記録媒体を開口部２４に挿入しようとする場合があるが、このような場合でも、前述したように可動体３と電子機器本体２との隙間に記録媒体が挿入されてしまうことによる、ナビゲーション装置１および記録媒体の両者に生じる不具合の発生を抑制することができる。また本実施の形態のように開口部２４が可動体３寄りに設けられており、可動体３および電子機器本体２の隙間と、開口部２４とが隣接する場合であっても、前述したように可動体３と電子機器本体２との隙間に記録媒体が挿入されてしまうことを抑制することができるので、電子機器本体２における開口部２４の配置の自由度が向上することができ、設計の自由度を向上させることができる。また突部５１が可動体３のＸ方向の両端部にわたって設けられているので、記録媒体の可動体３および電子機器本体２の隙間への挿入を確実に抑制することができる。
【００３１】
またナビゲーション装置１では、可動体３と電子機器本体２との形状によって、可動体３および電子機器本体２の隙間への異物の挿入を抑制することができ、可動体３および電子機器本体２とは別体で異物の挿入を防止する部品を設ける必要がないので、構成が複雑化することなく、また、組立についても複雑化することがないので、蓋などの別部材を設ける場合と比較して、生産性を向上させることができる。
【００３２】
前述した実施の形態では、開口部２４は、第１筐体２１の一端部２２の上端部に設けられているが、開口部２４は、第１筐体２１の一端部２２の下端部に設けられてもよく、第１筐体２１の一端部２２の中間部に設けられてもよい。
【００３３】
図４は、本発明の実施の他の形態におけるナビゲーション装置６１の正面図である。ナビゲーション装置６１と図１に示す前述した実施の形態のナビゲーション装置１とは、突部５１が異なるのみであり、その他の構成は同様であるので、同様の構成には同様の参照符号を付してその説明を省略する。
【００３４】
前述の実施の形態では、突部５１が可動体３のＸ方向の両端部にわたって設けられているが、本実施の形態では、突部５１は、可動体３のＸ方向の両端部にわたって設けられるのではなく、Ｘ方向の一部分にのみ設けられている。突部５１は、正面から見たときに可動体３および電子機器本体２の隙間のうちのＸ方向に連なる部分の幅Ｌ１が、開口部２４に挿入可能な記録媒体の幅よりも小さくなるような位置に設けられている。たとえば記録媒体がディスク状記録媒体であり、開口部２４に直径が８ｃｍと１２ｃｍとのいずれかの記録媒体を挿入する場合があるときには、前記Ｌ１は８ｃｍ未満となるように突部５１が形成される。これによって、前述した実施の形態とどうように、記録媒体の挿入を抑制することができ、同様の効果を達成することができる。また突部５１は、複数設けられてもよい。
【００３５】
図５は、本発明の実施のさらに他の形態におけるナビゲーション装置７１の側面図であり、収納状態における側面を表す。ナビゲーション装置７１と図１に示す前述した実施の形態のナビゲーション装置１とは、類似し、同様の構成を有するので、同様の構成には同様の参照符号を付してその説明を省略する。前述したナビゲーション装置１では、可動体３に突部５１が形成され、電子機器本体２に凹所５３が形成されているが、本実施の形態のナビゲーション装置７１では、可動体３に突部５１ではなく凹所７２が形成され、電子機器本体２に凹所５３ではなく突部７３が形成されている。
【００３６】
可動体３の遊端部３８には、所定の方向の他方寄りに凹所７２が形成されている。凹所７２は、第３筐体３３に形成され、可動体３の厚み方向の一表面部３２の残余の部分から退避して形成されており、可動体３の所定の方向の端に形成されている。すなわち可動体３の遊端部３８における所定の方向の他端は、残余の部分よりも厚みが小さく形成されている。凹所７２は、Ｘ方向の両端部にわたって形成されている。
【００３７】
収納状態で、電子機器本体２のうち凹所７２に臨む部分には、突部７３が形成されている。突部７３は、第１筐体２１の一端部２２のうちＹ方向の一方の端で、開口部２４の上部に設けられている。開口部２４の上開口案内面５４ｃは、第１筐体２１のＹ方向の一方の端まで延び、開口部２４の上側部分５５が第１筐体２１のＹ方向の一方の端まで延びて形成されている。突部７３は、第１筐体２１のＸ方向の両端部にわたって設けられている。収納状態では、凹所７２が形成されている空間に前記突部７３が収容され、突部７３の最上端が、可動体３の最下端よりも上方に配置される。突部７３の遊端面７４と第３筐体３３の一表面部３２の凹所７２を除く部分の表面７５とは、Ｚ方向に予め定める間隔をあけて設けられ、好ましくは１．５ｍｍ〜２．０ｍｍ程度に選ばれる。
【００３８】
本実施の形態では、収納状態からＹ方向に可動体３を移動させたときに、突部７３と可動体３とが接触しないように、第３筐体３３に溝４２が形成されており、第２筐体２３に案内レール部として、前記溝４２に挿入される柱状部材７６を設けている。たとえば溝４２を厚み方向の一方にクランク状に曲げて、柱状部材７６を溝４２に沿って案内させることによって、可動体３がＹ方向の一方に移動したときに、可動体３の遊端部３８を上方に移動させることができる。このように、簡単な機構によって、突部７３と可動体３との接触を抑制することができ、本実施の形態においても、前述の実施の形態と同様な効果を達成することができる。
【００３９】
前述の実施の形態では、凹所７２が可動体３のＸ方向の両端部にわたって形成され、突部７３が第１筐体２１のＸ方向の両端部にわたって形成されているが、凹所７２は、Ｘ方向の一部分にのみ形成され、収容状態においてこの凹所７２に対向する位置にのみ突部７３が形成されてもよい。凹所７２および突部７３は、前述した突部５１と同様に、正面から見たときに可動体３および電子機器本体２の隙間のうちのＸ方向に連なる部分の幅が、開口部２４に挿入可能な記録媒体の幅よりも小さくなるような位置に設けられている。このような構成であっても同様の効果を達成することができる。
【００４０】
前述した実施の形態では、可動体３の遊端部３８の一方の端に突部５１が形成されているが、突部５１は、端に形成されるのではなく、可動体３の遊端部３８におけるＹ方向の中間部に形成されてもよく、この場合には、凹所５３を収容状態で突部５１に対向する位置に設けて、突部５１が第１筐体２１に接触しないように図５に示す実施の形態のような溝４２と案内レール部とを形成しておけばよい。
【００４１】
また前述した実施の形態では、可動体３の遊端部３８の一方の端に凹所７２が形成され、第１筐体２１の一端部２２の一方の端に突部７３が形成されているが、凹所７２は、端に形成されるのではなく、可動体３の遊端部３８におけるＹ方向の中間部に形成されてもよく、この場合には、突部７３を収容状態で凹所７２に対向する位置に設けて、突部７３が可動体３に接触しないように図５に示す実施の形態のような溝４２と案内レール部とを形成しておけばよい。
【００４２】
前述した各実施の形態では、可動体３の遊端部３８の少なくとも一部と、電子機器本体２のうち可動体３の遊端部３８に臨む部分（第１筐体２１の一端部２２）の少なくとも一部との、所定の方向への正投影面が重なるように、電子機器本体２と可動体３とが設けられているが、可動体３を電子機器本体２の第１筐体２１に押し付けて、可動体３と第１筐体２１とを密着させて、可動体３と第１筐体２１との隙間への異物の挿入を防止してもよい。図６は、このような構成を備えるナビゲーション装置８１を示す側面図である。図６に示すナビゲーション装置８１は、図１に示すナビゲーション装置１に類似するので、同様の構成には同様の参照符号を付してその説明を省略し、異なる部分についてのみ説明する。
【００４３】
ナビゲーション装置１では、第１筐体２１に凹所５３が形成されているが、ナビゲーション装置８１では、第１筐体２１に凹所は形成されず、収納状態において可動体３に対向する表面は平面に形成されている。したがって開口部２４の上開口案内面５４ｃのＹ方向の一方の端まで延び、開口部２４の上側部分５５が第１筐体２１のＹ方向の一方の端まで延びて形成されている。
【００４４】
可動体３には、収納状態において可動体３を第１筐体２１側に押圧する押圧部８２が設けられる。押圧部８２は、板ばね部材８３を含んで構成され、板ばね部材８３は、第３筐体３３の厚み方向の他表面部に設けられ、スライド変位部によって可動体３を収納状態にするとき、第１筐体２１の一部に当接して、可動体３を第１筐体２１側に押圧する。第１筐体２１が板ばね部材８３によって押圧されると、突部５１が第１筐体２１に当接して、密着する。以上のような構成とすることによって、第１筐体２１と可動体３との間の隙間に、異物が挿入されてしまうことを抑制して、前述した各実施の形態と同様の効果を達成することができる。
【００４５】
また図６に示すナビゲーション装置８１では、突部５１が第１筐体２１に当接しているが、収納状態において、突部５１は第１筐体２１に当接しないで、第１筐体２１から、記録媒体の厚み未満となる予め定める距離を保つように押圧部８２によって可動体３を押圧してもよい。この場合においても、第１筐体２１と可動体３との間の隙間に、記録媒体が挿入されてしまうことを抑制して、前述した各実施の形態と同様の効果を達成することができる。またこの場合には、突部５１を形成しなくてもよい。
【００４６】
前述した各実施の形態では、記録媒体を、ディスク状記録媒体としているが、記録媒体は、たとえばＳＤカードなどの不揮発性メモリを有するカード状記録媒体であってもよく、その他、どのような形状の記録媒体であってよい。
【００４７】
また前述した各実施の形態では、可動部３にディスプレイ部３４を設けているが、ディスプレイ部３４に変えて、電子機器本体２に入力信号を与える入力スイッチを設けてもよく、この場合には入力スイッチのスイッチ片が第３筐体３３の厚み方向の一端部３２から露出するように配置される。可動部３には、その他、電子機器本体２と接続される電子機器が搭載されてもよく、どのような電子部品が搭載されたとしても、前述した実施の形態と同様の効果を達成することができる。
【図面の簡単な説明】
【００４８】
【図１】本発明の実施の一形態の電子機器であるナビゲーション装置１の構成の一部を示す斜視図である。
【図２】収納状態におけるナビゲーション装置１の側面図である。
【図３】可動体３の変位を説明する図である。
【図４】本発明の実施の他の形態におけるナビゲーション装置６１の正面図である。
【図５】本発明の実施のさらに他の形態におけるナビゲーション装置７１の側面図である。
【図６】ナビゲーション装置８１を示す側面図である。
【符号の説明】
【００４９】
１，６１，７１，８１  ナビゲーション装置
２  電子機器本体
３  可動体
２１  第１筐体
２３  第２筐体
２４  開口部
３３  第３筐体
３４  ディスプレイ部
３５  表示面
４５  変位部
４６  保持部
５１，７３  突部
５３，７２  凹所
【図１】
2009269570.tif 000003
【図２】
2009269570.tif 000004
【図３】
2009269570.tif 000005
【図４】
2009269570.tif 000006
【図５】
2009269570.tif 000007
【図６】
2009269570.tif 000008